(57)【特許請求の範囲】
【請求項１】
少なくとも１つの第１入水孔を含む分流器と、
前記分流器との間には第１チャンバが形成されており、少なくとも１つの第２入水孔及び少なくとも１つの還流孔を含み、前記少なくとも１つの第２入水孔は、前記少なくとも１つの第１入水孔に一対一に対応し、且つ、各前記第２入水孔の流通面積は、対応する前記第１入水孔の流通面積よりも大きく、前記少なくとも１つの還流孔、前記少なくとも１つの第１入水孔及び前記少なくとも１つの第２入水孔は、いずれも前記第１チャンバと連通するミキサーと、
前記第１チャンバと連通する吸気流路と、
前記ミキサーとの間には第２チャンバが形成されており、前記少なくとも１つの第２入水孔及び前記少なくとも１つの還流孔は、いずれも前記第２チャンバと連通する吐水面カバーと、含むバブル水発生装置。
【請求項２】
前記分流器は、第１ディスク部と、筒部と、を含み、前記第１ディスク部は、中心軸線を規定しており、互いに背向する第１表面及び第２表面を含み、前記筒部は、前記中心軸線を軸として前記第１表面から前記第２表面から離れた方向に延びる請求項１に記載のバブル水発生装置。
【請求項３】
前記第１入水孔は、複数個であり、複数の前記第１入水孔は、前記第１ディスク部に形成され、且つ、前記第１表面及び前記第２表面を貫通し、複数の前記第１入水孔は、前記中心軸線を中心として前記第１ディスク部の周方向に沿って均等に配置され、且つ、前記筒部に囲まれた領域内に位置し、前記吸気流路は、前記第１ディスク部に形成され、前記第１表面及び第２表面を貫通し、且つ、前記筒部に囲まれた領域以外の領域に位置する請求項２に記載のバブル水発生装置。
【請求項４】
前記ミキサーは、第２ディスク部及び環状壁部を含み、前記第２ディスク部は、中心軸線を規定しており、互いに背向する第３表面及び第４表面を含み、前記環状壁部は、前記第２ディスク部の周縁を囲んでおり、且つ、前記第３表面及び前記第４表面から突出する請求項１に記載のバブル水発生装置。
【請求項５】
前記分流器は、第１ディスク部と、筒部と、を含み、前記環状壁部が前記第２ディスク部の前記第３表面から突出した部分は、収容空間を形成し、前記分流器とミキサーとが組み立てられた後、前記第１ディスク部は、前記収容空間に収容される請求項４に記載のバブル水発生装置。
【請求項６】
前記第２ディスク部の前記第３表面は、環状切り溝を有し、前記分流器と前記ミキサーとが組み立てられた後、前記環状切り溝は、前記第１チャンバを形成する請求項４に記載のバブル水発生装置。
【請求項７】
前記第２入水孔は、複数個であり、複数の前記第２入水孔は、前記第２ディスク部に形成され、且つ、前記第３表面及び前記第４表面を貫通し、複数の前記第２入水孔は、前記中心軸線を中心として前記第２ディスク部の周方向に沿って均等に配置され、前記少なくとも１つの還流孔は、複数の前記還流孔を含み、複数の前記還流孔は、前記第２ディスク部に形成され、且つ、前記第３表面及び前記第４表面を貫通し、複数の前記還流孔は、前記中心軸線を中心として前記第２ディスク部の周方向に沿って均等に配置される請求項４に記載のバブル水発生装置。
【請求項８】
複数の前記還流孔は、複数の前記第２入水孔よりも前記中心軸線に近い請求項７に記載のバブル水発生装置。
【請求項９】
前記バブル水発生装置は、ストレーナアセンブリをさらに含み、前記ストレーナアセンブリは、前記第２チャンバに設置される請求項１に記載のバブル水発生装置。
【請求項１０】
前記ストレーナアセンブリは、複数の第１ストレーナ及び複数の第２ストレーナを含み、複数の前記第１ストレーナ及び複数の前記第２ストレーナは、交互に積層されており、前記第１ストレーナのメッシュ数と前記第２ストレーナのメッシュ数は異なる請求項９に記載のバブル水発生装置。
【請求項１１】
前記バブル水発生装置は、前記分流器と前記ミキサーとを接続するための複数の締付具をさらに含む請求項１に記載のバブル水発生装置。
【請求項１２】
前記分流器は、複数の貫通孔を含み、前記ミキサーは、複数の接続柱を含み、複数の前記接続柱は、前記ミキサーにおける前記分流器に背向する側の面から突出し、複数の前記貫通孔は、複数の前記接続柱に一対一に対応し、複数の前記締付具は、それぞれ複数の前記貫通孔を通過して複数の前記接続柱に接続される請求項１１に記載のバブル水発生装置。
【請求項１３】
前記バブル水発生装置は、シャワーヘッド又はバブラーである請求項１に記載のバブル水発生装置。
【請求項１４】
前記吸気流路は、前記分流器に形成される請求項１に記載のバブル水発生装置。
【請求項１５】
前記吸気流路は、前記分流器と前記吐水面カバーとの間に形成される請求項１に記載のバブル水発生装置。
【発明の詳細な説明】
【技術分野】
【０００１】
本発明は、吐水装置技術分野に関し、特に、マイクロバブルを発生させることができるバブル水発生装置に関する。
【背景技術】
【０００２】
関連技術におけるシャワーヘッドは、水温を上げることで水中の空気の溶解度を低下させるとともに、バブルを膨張孔から析出させることにより、マイクロバブル水を発生させる。しかしながら、このような方法は、特定の熱水条件下で良好なマイクロバブル効果が得られ、常温水の条件下でシャワーヘッドによるマイクロバブルの発生効果が良くない。
【０００３】
関連技術において、吸気によりマイクロバブル水を発生させるシャワーヘッドもあるが、このようなシャワーヘッドの空気の吸気量は、入水量の多少に応じて自動的に調整されないか、又は手動でのみ調整可能であり、使い勝手が悪く、ユーザ体験が良くない。また、手動で吸気量を調整する場合、一定の遅延性があるので、生成されたマイクロバブル水のマイクロバブル効果が悪いことを招く。
【０００４】
上述した背景技術に開示された上記の情報は、本発明の背景に対する理解を深めるためのものに過ぎなく、当業者に知られている従来技術を構成しない情報を含んでいてもよい。
【発明の概要】
【発明が解決しようとする課題】
【０００５】
本発明は、上記の関連技術の少なくとも１つの欠点を克服するために、マイクロバブルを発生させるとともに、吸気量を自動的に調整することができるバブル水発生装置を提供することを主目的とする。
【課題を解決するための手段】
【０００６】
本発明は、上記の発明の目的を達成するために、以下の技術案を採用する。
【０００７】
本発明の一実施態様によれば、バブル水発生装置を提供する。前記バブル水発生装置は、分流器と、ミキサーと、吸気流路と、吐水面カバーと、を含み、前記分流器は、少なくとも１つの第１入水孔を含み、ミキサーと前記分流器との間には、第１チャンバが形成され、前記ミキサーは、少なくとも１つの第２入水孔及び少なくとも１つの還流孔を含み、前記少なくとも１つの第２入水孔は、前記少なくとも１つの第１入水孔に一対一に対応し、且つ、各前記第２入水孔の流通面積は、対応する前記第１入水孔の流通面積よりも大きく、前記少なくとも１つの還流孔、前記少なくとも１つの第１入水孔及び前記少なくとも１つの第２入水孔は、いずれも前記第１チャンバと連通し、吸気流路は、前記第１チャンバと連通し、吐水面カバーと前記ミキサーとの間には、第２チャンバが形成され、前記少なくとも１つの第２入水孔及び前記少なくとも１つの還流孔は、いずれも前記第２チャンバと連通する。
【０００８】
本発明の一実施形態によれば、前記分流器は、第１ディスク部と、筒部と、を含み、前記第１ディスク部は、中心軸線を規定しており、互いに背向する第１表面及び第２表面を含み、前記筒部は、前記中心軸線を軸として前記第１表面から前記第２表面から離れた方向に延びる。
【０００９】
本発明の一実施形態によれば、前記少なくとも１つの第１入水孔は、複数の前記第１入水孔を含み、複数の前記第１入水孔は、前記第１ディスク部に形成され、且つ、前記第１表面及び前記第２表面を貫通し、複数の前記第１入水孔は、前記中心軸線を中心として前記第１ディスク部の周方向に沿って均等に配置され、且つ、前記筒部に囲まれた領域内に位置し、前記吸気流路は、前記第１ディスク部に形成され、前記第１表面及び第２表面を貫通し、且つ、前記筒部に囲まれた領域以外の領域に位置する。
【００１０】
本発明の一実施形態によれば、前記ミキサーは、第２ディスク部及び環状壁部を含み、前記第２ディスク部は、中心軸線を規定しており、互いに背向する第３表面及び第４表面を含み、前記環状壁部は、前記第２ディスク部の周縁を囲んでおり、且つ、前記第３表面及び前記第４表面から突出する。
【００１１】
本発明の一実施形態によれば、前記分流器は、第１ディスク部と、筒部と、を含み、前記環状壁部が前記第２ディスク部の前記第３表面から突出した部分は、収容空間を形成し、前記分流器とミキサーとが組み立てられた後、前記第１ディスク部は、前記収容空間に収容される。
【００１２】
本発明の一実施形態によれば、前記第２ディスク部の前記第３表面は、環状切り溝を有し、前記分流器と前記ミキサーとが組み立てられた後、前記環状切り溝は、前記第１チャンバを形成する。
【００１３】
本発明の一実施形態によれば、前記少なくとも１つの第２入水孔は、複数の前記第２入水孔を含み、複数の前記第２入水孔は、前記第２ディスク部に形成され、且つ、前記第３表面及び前記第４表面を貫通し、複数の前記第２入水孔は、前記中心軸線を中心として前記第２ディスク部の周方向に沿って均等に配置され、前記少なくとも１つの還流孔は、複数の前記還流孔を含み、複数の前記還流孔は、前記第２ディスク部に形成され、且つ、前記第３表面及び前記第４表面を貫通し、複数の前記還流孔は、前記中心軸線を中心として前記第２ディスク部の周方向に沿って均等に配置される。
【００１４】
本発明の一実施形態によれば、複数の前記還流孔は、複数の前記第２入水孔よりも前記中心軸線に近い。
【００１５】
本発明の一実施形態によれば、前記バブル水発生装置は、ストレーナアセンブリをさらに含み、前記ストレーナアセンブリは、前記第２チャンバに設置される。
【００１６】
本発明の一実施形態によれば、前記ストレーナアセンブリは、複数の第１ストレーナ及び複数の第２ストレーナを含み、複数の前記第１ストレーナ及び複数の前記第２ストレーナは、交互に積層されており、前記第１ストレーナのメッシュ数と前記第２ストレーナのメッシュ数は異なる。
【００１７】
本発明の一実施形態によれば、前記バブル水発生装置は、前記分流器と前記ミキサーとを接続するための複数の締付具をさらに含む。
【００１８】
本発明の一実施形態によれば、前記分流器は、複数の貫通孔を含み、前記ミキサーは、複数の接続柱を含み、複数の前記接続柱は、前記ミキサーにおける前記分流器に背向する側の面から突出し、複数の前記貫通孔は、複数の前記接続柱に一対一に対応し、複数の前記締付具は、それぞれ複数の前記貫通孔を通過して複数の前記接続柱に接続される。
【００１９】
本発明の一実施形態によれば、前記バブル水発生装置は、シャワーヘッド又はバブラーである。
【００２０】
本発明の一実施形態によれば、前記吸気流路は、前記分流器と前記吐水面カバーとの間に形成される。
【発明の効果】
【００２１】
本発明が提供するバブル水発生装置によれば、下記のような利点及び有益な効果が奏される。
【００２２】
水流は、順次に第１入水孔及び第２入水孔を流れ、第２入水孔の流通面積が第１入水孔の流通面積よりも大きいので、ベルヌーイの原理に従って、第２入水孔に一定の負圧が発生することにより、外界の空気は、吸気流路、第１チャンバを順次に通過してから、第２入水孔に吸い込まれて水流と一定のバブルを含む混合水流を形成し、この混合水流が第２チャンバに流れ込んだ後、混合水流の一部は、還流孔を通過して第１チャンバに戻り、その後、第２入水孔に再度吸い込まれ、このようにして往復循環する。部分的に還流した混合水流が往復循環の過程において第１チャンバを満たすので、外界の空気がバブル水発生装置に吸い込まれることを阻害し、空気の吸入量を減らす役割を果たし、この混合水流の一部が第２入水孔に再度吸い込まれることに伴って、第１チャンバに混合水流が満たされていない場合、外界の空気を吸い込み続けることにより、外界の空気の吸入量を自動的に制御する効果を達成する。同時に、外界の空気の吸入量が効果的に制御されるので、一定のバブルを含む混合水流内のバブルが小さくなり、これにより、バブル水発生装置は、マイクロバブルを含むバブル水を発生させることができる。
【図面の簡単な説明】
【００２３】
【図１】図面を参照して例示的な実施形態を詳細に説明し、本発明の上記の内容、他の特徴及び利点は、より明らかになる。図１は、本発明に係るバブル水発生装置の一例示的な実施形態の分解図である。
【図２】図２は、本発明に係るバブル水発生装置の一例示的な実施形態の側面図である。
【図３】図３は、本発明に係るバブル水発生装置の一例示的な実施形態の断面図である。
【図４】図４は、本発明に係るバブル水発生装置の分流器の一例示的な実施形態の上面図である。
【図５】図５は、図４のＡ−Ａ線に沿う断面図である。
【図６】図６は、本発明に係るバブル水発生装置のミキサーの一例示的な実施形態の上面図である。
【図７】図７は、図６のＢ−Ｂ線に沿う断面図である。
【図８】図８は、本発明に係るバブル水発生装置の他の例示的な実施形態の側面図である。
【図９】図９は、本発明に係るバブル水発生装置の他の例示的な実施形態の断面図である。
【発明を実施するための形態】
【００２４】
次に、図面を参照しながら、例示的な実施形態をより全面的に説明する。しかしながら、例示的な実施形態は、様々な形態で実施することができ、ここに記述の実施形態に限定されると理解されるべきではない。逆に、これらの実施形態が提供されることにより、本発明が全面且つ完全になり、例示的な実施例の構想を当業者に全面的に伝えることができる。図面において、同一の符号は、同一又は類似の構成を示すので、その詳細な説明は省略する。
【００２５】
本明細書において、例えば「上」や「下」などの相対的な用語は、図面に示された一つのアセンブリと他のアセンブリとの間の相対的な関係を説明するために使用されるが、これらの用語は、単に便宜上のものであり、例えば、図面に示す例示の方向によるものである。図面に示す装置を反転させてその上下が逆になる場合、前記「上」に位置するアセンブリが「下」に位置するアセンブリになることを理解できる。例えば「頂」や「底」などの他の相対的な用語も同様の意味を持つ。「１つ」、「一」、「当該」及び「前記」という用語は、１つ又は複数の要素／構成要素／などが存在していることを示すために使用されるものである。「含む」及び「備える」という用語は、開放式に含まれることを意味し、且つ、列挙された要素／構成要素／など以外の要素／構成要素／などをさらに含むことを意味する。「第１」、「第２」、「第３」、「第４」などという用語は、標記として用いられ、その対象の数を限定するものではない。
【００２６】
本発明の発明者らは、関連技術において、吸気により空気をバブル水発生装置に吸い込んで水と混合することにより、バブルを含む水流を形成し、最終的にバブル水を発生させる一部のバブル水発生装置が存在するが、このようなバブル水発生装置によるバブル水の発生効果が良くないことを研究により発見した。本発明の発明者らは、このようなバブル水発生装置が空気の吸入量を良好に制御することができないので、空気の過剰な吸入により水流中のバブルが大きくなり、高濃度のマイクロバブルが形成されなく、ユーザ体験が良くないことを招くことを発見した。
【００２７】
これに基づき、本発明は、バブル水発生装置を提供する。前記バブル水発生装置は、分流器と、ミキサーと、吸気流路と、吐水面カバーと、を含み、前記分流器は、少なくとも１つの第１入水孔を含み、ミキサーと前記分流器との間には、第１チャンバが形成され、前記ミキサーは、少なくとも１つの第２入水孔及び少なくとも１つの還流孔を含み、前記少なくとも１つの第２入水孔は、前記少なくとも１つの第１入水孔に一対一に対応し、且つ、各前記第２入水孔の流通面積は、対応する前記第１入水孔の流通面積よりも大きく、前記少なくとも１つの還流孔、前記少なくとも１つの第１入水孔及び前記少なくとも１つの第２入水孔は、いずれも前記第１チャンバと連通し、吸気流路は、前記第１チャンバと連通し、吐水面カバーと前記ミキサーとの間には、第２チャンバが形成され、前記少なくとも１つの第２入水孔及び前記少なくとも１つの還流孔は、いずれも前記第２チャンバと連通する。
【００２８】
水流は、順次に第１入水孔及び第２入水孔を流れ、第２入水孔の流通面積が第１入水孔の流通面積よりも大きいので、ベルヌーイの原理に従って、第２入水孔に一定の負圧が発生することにより、外界の空気は、吸気流路、第１チャンバを順次に通過してから、第２入水孔に吸い込まれて水流と一定のバブルを含む混合水流を形成し、この混合水流が第２チャンバに流れ込んだ後、混合水流の一部は、還流孔を通過して第１チャンバに戻り、その後、第２入水孔に再度吸い込まれ、このようにして往復循環する。部分的に還流した混合水流が往復循環の過程において第１チャンバを満たすので、外界の空気がバブル水発生装置に吸い込まれることを阻害し、空気の吸入量を減らす役割を果たし、この混合水流の一部が第２入水孔に再度吸い込まれることに伴って、第１チャンバに混合水流が満たされていない場合、外界の空気を吸い込み続けることにより、外界の空気の吸入量を自動的に制御する効果を達成する。同時に、外界の空気の吸入量が効果的に制御されるので、一定のバブルを含む混合水流内のバブルが小さくなり、これにより、バブル水発生装置は、マイクロバブルを含むバブル水を発生させることができる。
【００２９】
以下、図面と組み合わせて本発明に提供されるバブル水発生装置の各主要構成要素の構造、接続方式及び機能関係を詳細に説明する。
【００３０】
なお、本願における「接続」は、１つの部材と別の部材又は複数の部材との間で直接接触するという実施例であってもよく、その中に付加的な特徴部材を追加可能な実施例をさらに含むことができる。
【００３１】
図１〜図３に示すように、図１は、本発明に係るバブル水発生装置の一例示的な実施形態の分解図であり、図２は、本発明に係るバブル水発生装置の一例示的な実施形態の側面図であり、図３は、本発明に係るバブル水発生装置の一例示的な実施形態の断面図である。一例示的な実施形態において、本発明のバブル水発生装置は、シャワーヘッドであってもよく、図３における切断面は、シャワーヘッドの軸線に沿って切断したものである。一例示的な実施形態において、本発明に提供されるバブル水発生装置は、シャワーヘッドであってもよく、このバブル水発生装置は、入水アセンブリ１０と、分流器３０と、ミキサー５０と、ストレーナアセンブリ７０と、吐水面カバー９０と、を含む。
【００３２】
図３に示すように、入水アセンブリ１０は、分流器３０に接続され、分流器３０は、ミキサー５０に接続され、吐水面カバー９０は、ミキサー５０に接続され、吐水面カバー９０とミキサー５０との間には、第２チャンバ８０が形成され、ストレーナアセンブリ７０は、第２チャンバ８０内に設置され、且つ、吐水面カバー９０に近い。
【００３３】
入水アセンブリ１０は、第１環部１１０と、第２環部１２０と、を含み、第１環部１１０は、第２環部１２０と共に入水流路１０１を形成し、第１環部１１０の外周面には、入水管（図示せず）又は水源を提供するための他の部材と接続するための第１雄ネジ１１１が設置され、第２環部１２０は、分流器３０とネジで接続するための雌ネジ１２１を有する。第２環部１２０と分流器３０との接続箇所には、水流が両者間の接続箇所から漏れることを防止するためのシールリング２０がさらに設置される。
【００３４】
図４及び図５に示すように、図４は、本発明に係るバブル水発生装置の分流器の一例示的な実施形態の上面図であり、図５は、図４のＡ−Ａ線に沿う断面図である。一例示的な実施形態において、分流器３０は、第１ディスク部３１０と、筒部３２０と、を含み、第１ディスク部３１０は、中心軸線Ｌを規定しており、分流器３０は、互いに背向する第１表面３１１及び第２表面３１２を含み、筒部３２０は、第１ディスク部３１０に垂直であり、且つこの中心軸線Ｌを軸として第１表面３１１から第２表面３１２から離れた方向に延び、筒部３２０の外周面には、入水アセンブリ１０とネジで接続するための第２雄ネジ３２１が設置される。
【００３５】
分流器３０は、複数の第１入水孔３１３及び吸気流路３１４を含み、複数の第１入水孔３１３は、入水流路１０１と連通する。複数の第１入水孔３１３は、第１ディスク部３１０に形成され、且つ第１表面３１１及び第２表面３１２を貫通し、複数の第１入水孔３１３は、中心軸線Ｌを中心として第１ディスク部３１０の周方向に沿って均等に配置され、且つ、複数の第１入水孔３１３は、筒部３２０に囲まれた領域内に位置し、吸気流路３１４は、第１ディスク部３１０に形成され、第１表面３１１及び第２表面３１２を貫通し、且つ、筒部３２０に囲まれた領域以外の領域に位置する。
【００３６】
図６及び図７に示すように、図６は、本発明に係るバブル水発生装置のミキサーの一例示的な実施形態の上面図であり、図７は、図６のＢ−Ｂ線に沿う断面図である。一例示的な実施形態において、ミキサー５０は、第２ディスク部５１０と、環状壁部５２０と、を含み、第２ディスク部５１０は、中心軸線Ｌを規定しており、互いに背向する第３表面５１１及び第４表面５１２を含み、環状壁部５２０は、第２ディスク部５１０の周縁を囲んでおり、且つ、第３表面５１１及び第４表面５１２から突出する。分流器３０とミキサー５０とが組み立てられた後、第１ディスク部３１０により規定される中心軸線Ｌは、第２ディスク部５１０により規定される中心軸線Ｌと重なる。
【００３７】
ミキサー５０は、複数の第２入水孔５１３及び複数の還流孔５１４を含み、複数の第２入水孔５１３は、第２ディスク部５１０に形成され、且つ、第３表面５１１及び第４表面５１２を貫通し、複数の第２入水孔５１３は、中心軸線Ｌを中心として第２ディスク部５１０の周方向に沿って均等に配置され、複数の還流孔５１４は、第２ディスク部５１０に形成され、且つ、第３表面５１１及び第４表面５１２を貫通し、複数の還流孔５１４は、中心軸線Ｌを中心として第２ディスク部５１０の周方向に沿って均等に配置される。
【００３８】
図３に示すように、分流器３０とミキサー５０とが組み立てられた後、複数の第２入水孔５１３は、複数の第１入水孔３１３に一対一に対応し、且つ、各第２入水孔５１３の流通面積は、対応する第１入水孔３１３の流通面積よりも大きい。水流がシャワーヘッドに流れ込んで順次に入水流路１０１、第１入水孔３１３及び第２入水孔５１３を流れる場合、第２入水孔５１３の流通面積が第１入水孔３１３の流通面積よりも大きいので、ベルヌーイの原理に従って、第２入水孔５１３に一定の負圧が発生することにより、外界の空気は、吸気流路３１４からシャワーヘッドに吸い込まれる。
【００３９】
引き続き図７を参照すると、ミキサー５０の第３表面５１１は、環状切り溝５３０を有し、環状壁部５２０が第２ディスク部５１０の第３表面５１１から突出した部分には、収容空間５６０が形成される。分流器３０とミキサー５０とが組み立てられた後、分流器３０の第１ディスク部３１０は、当該収容空間５６０に収容されるとともに、第１ディスク部３１０の第２表面３１２は、第２ディスク部５１０の第３表面５１１と貼合される。環状切り溝５３０の存在により、分流器３０とミキサー５０との間には、図３に示すような第１チャンバ６０が形成される。
【００４０】
図３に示すように、吸気流路３１４、複数の還流孔５１４、複数の第１入水孔３１３及び複数の第２入水孔５１３は、いずれも第１チャンバ６０と連通し、複数の還流孔５１４と複数の第１入水孔３１３は、互いにずれている。外界の空気が吸気流路３１４から吸い込まれてから、順次に第１チャンバ６０及び第２入水孔５１３を流れ、且つ水流と一定のバブルを含む混合水流を形成し、この混合水流が第２チャンバ８０に流れ込んだ後、混合水流の一部は、還流孔５１４を通過して第１チャンバ６０に戻り、その後、第２入水孔５１３に再度吸い込まれ、このようにして往復循環する。
【００４１】
部分的に還流した混合水流が往復循環の過程において第１チャンバ６０を満たすので、外界の空気がシャワーヘッドに吸い込まれることを阻害し、空気の吸入量を減らす役割を果たし、この混合水流の一部が第２入水孔５１３に再度吸い込まれることに伴って、第１チャンバ６０に混合水流が満たされていない場合、外界の空気を吸い込み続けることにより、外界の空気の吸入量を自動的に制御する効果を達成する。同時に、外界の空気の吸入量が効果的に制御されるので、一定のバブルを含む混合水流内のバブルが小さくなり、これにより、シャワーヘッドは、マイクロバブルを含むバブル水を発生させることができる。
【００４２】
引き続き図６及び図７を参照すると、一例示的な実施形態において、ミキサー５０の複数の還流孔５１４は、複数の第２入水孔５１３よりも中心軸線Ｌに近く、言い換えれば、複数の還流孔５１４が第２ディスク部５１０の周方向に沿って均等に配置された円の半径は、複数の第２入水孔５１３が第２ディスク部５１０の周方向に沿って均等に配置された円の半径よりも小さい。
【００４３】
このような設計により、図３の中心軸線Ｌの左側に位置する第２入水孔５１３及び還流孔５１４を例として説明し、部分的に還流した混合水流は、還流孔５１４、第１チャンバ６０、第２入水孔５１３及び第２チャンバ８０を流れて循環し、その循環方向は、反時計回りの方向であるが、外界の空気の吸気流路３１４から第２入水孔５１３への流れ方向は、この循環方向と正反対であるので、この部分的に還流した混合水流は、循環過程において外界の空気がシャワーヘッドに吸い込まれることをより良好に阻害し、最終的に外界の空気の吸入量を自動的に制御する効果を達成する。
【００４４】
図３、図４及び図６に示すように、シャワーヘッドは、分流器３０とミキサー５０とを接続するための複数の締付具４０をさらに含む。一実施形態において、締付具４０は、ビスであってもよい。
【００４５】
分流器３０は、複数の貫通孔３１５を含み、ミキサー５０は、複数の接続柱５４０を含み、複数の接続柱５４０は、ミキサー５０の第２ディスク部５１０の第４表面５１２から突出し、且つ吐水面カバー９０の方向に延び、複数の貫通孔３１５は、複数の接続柱５４０に一対一に対応し、複数の締付具４０は、それぞれ複数の貫通孔３１５を通過して複数の接続柱５４０に接続される。
【００４６】
また、ストレーナアセンブリ７０のストレーナに皺が発生することを防止してストレーナをさらに平坦にするように、複数の接続柱５４０の分流器３０から離れた一端は、ストレーナアセンブリ７０に近い。
【００４７】
勿論、他の実施形態において、他の適切な接続方式により分流器３０とミキサー５０とを接続することもでき、ここで詳細な説明を省略する。
【００４８】
引き続き図３を参照すると、吐水面カバー９０は、吐水面カバー９０を随時取り外してシャワーヘッド、例えばストレーナアセンブリ７０を洗浄するように、例えばネジ接続によりミキサー５０の環状壁部５２０に着脱可能に接続される。吐水面カバー９０とミキサー５０との間には、水流が両者間の接続箇所から漏れることを防止するためのシールリング２０がさらに設置される。
【００４９】
図１及び図３に示すように、吐水面カバー９０とミキサー５０との間は、第２チャンバ８０が形成され、複数の第２入水孔５１３及び複数の還流孔５１４は、いずれも第２チャンバ８０と連通する。シャワーヘッドは、積層されている複数のストレーナをさらに含み、複数のストレーナは、第２チャンバ８０に設置される。
【００５０】
外界の空気が吸い込まれてから水流と混合して、バブルを含む水流が形成され、第２入水孔５１３を流れてから第２チャンバ８０に流れ込み、その水流の一部が還流孔５１４から第１チャンバ６０に還流し、ここで詳細な説明を省略する。他の一部のバブルと水の混合体がストレーナアセンブリ７０を通過することにより、より大きいバブルがストレーナによってマイクロバブルに切断されるので、最終的に吐水面カバー９０から流出した水流は、マイクロバブルを含み、これにより、効果の良いバブル水を発生させる。
【００５１】
図１に示すように、複数のストレーナは、複数の第１ストレーナ７１０及び複数の第２ストレーナ７２０を含み、複数の第１ストレーナ７１０及び複数の第２ストレーナ７２０は、交互に積層されており、第１ストレーナ７１０のメッシュ数と第２ストレーナ７２０のメッシュ数は異なる。例えば、第１ストレーナ７１０は、疎孔ストレーナであってもよく、第２ストレーナ７２０は、密孔ストレーナであってもよく、複数の第１ストレーナ７１０及び複数の第２ストレーナ７２０は、交互に積層されて疎密交互のストレーナアセンブリ７０を形成し、これにより、バブルの切断効果は、最適となる。
【００５２】
図４及び図６に示すように、一実施形態において、分流器３０の第１ディスク部３１０には、位置決め突起３３０が設置され、ミキサー５０には、この位置決め突起３３０と嵌合する位置決め切欠５５０が設置され、分流器３０とミキサー５０とを組み立てる場合、位置決め突起３３０と位置決め切欠５５０との嵌合により、両者を容易に組み立てることができ、これにより、第１入水孔３１３と第２入水孔５１３とを迅速且つ便利に位置合わせ、組立効率を向上させる。
【００５３】
勿論、他の実施形態において、位置決め突起３３０がミキサー５０に設置され、位置決め切欠５５０が分流器３０に設置される構成としてもよく、又は、他の適切な位置決め構造により組立の位置決めを実現し、ここで詳細な説明を省略する。
【００５４】
本発明に係るバブル水発生装置の他の例示的な実施形態は、バブラーであってもよい。
【００５５】
図８及び図９に示すように、図８は、本発明に係るバブル水発生装置の他の例示的な実施形態の側面図であり、図９は、本発明に係るバブル水発生装置の他の例示的な実施形態の断面図である。この実施形態において、それと上記のシャワーヘッドの実施形態との相違点は、以下の通りである。
【００５６】
バブラーは、フィルタ部材１００と、分流器３０と、ミキサー５０と、ストレーナアセンブリ７０と、吐水面カバー９０と、を含む。吐水面カバー９０は、ミキサー５０及び分流器３０と係合し、且つ、ミキサー５０との間に第２チャンバ８０を形成し、ストレーナアセンブリ７０は、第２チャンバ８０に設置される。吐水面カバー９０の側壁と分流器３０の側壁との間には、第１チャンバ６０と連通する吸気流路３１４が形成される。
【００５７】
水流が順次にフィルタ部材１００、第１入水孔３１３及び第２入水孔５１３を流れる場合、第２入水孔５１３の流路面積が第１入水孔３１３の流通面積よりも大きいので、ベルヌーイの原理に従って、第２入水孔５１３に一定の負圧が発生することにより、外界の空気は、吸気流路３１４からバブラーに吸い込まれる。バブラーにおいてマイクロバブルを発生させる原理は、上記のシャワーヘッドの実施形態とほぼ同じであるので、ここで詳細な説明を省略する。
【００５８】
勿論、他の実施形態において、吸気流路は、分流器又は他の適切な部材／位置に形成されてもよい。
【００５９】
上記のように、本発明が提供するバブル水発生装置によれば、下記のような利点及び有益な効果が奏される。
【００６０】
水流は、順次に第１入水孔３１３及び第２入水孔５１３を流れ、第２入水孔５１３の流通面積が第１入水孔３１３の流通面積よりも大きいので、ベルヌーイの原理に従って、第２入水孔５１３に一定の負圧が発生することにより、外界の空気は、吸気流路３１４、第１チャンバ６０を順次に通過してから、第２入水孔５１３に吸い込まれて水流と一定のバブルを含む混合水流を形成し、この混合水流が第２チャンバ８０に流れ込んだ後、混合水流の一部は、還流孔５１４を通過して第１チャンバ６０に戻り、その後、第２入水孔５１３に再度吸い込まれ、このようにして往復循環する。部分的に還流した混合水流が往復循環の過程において第１チャンバ６０を満たすので、外界の空気がバブル水発生装置に吸い込まれることを阻害し、空気の吸入量を減らす役割を果たし、この混合水流の一部が第２入水孔５１３に再度吸い込まれることに伴って、第１チャンバ６０に混合水流が満たされていない場合、外界の空気を吸い込み続けることにより、外界の空気の吸入量を自動的に制御する効果を達成する。同時に、外界の空気の吸入量が効果的に制御されるので、一定のバブルを含む混合水流内のバブルが小さくなり、これにより、バブル水発生装置は、マイクロバブルを含むバブル水を発生させることができる。
【００６１】
また、本発明のバブル水発生装置により生成されたバブル水中のバブルは、ミクロンレベルに達することができ、そのサイズが人体の毛孔よりも小さいので、使用者がシャワーや洗面時に、バブルは、毛孔に入り込んで徹底的に洗浄することができる。また、水に均一なバブルが含まれているので、シャワーヘッドから噴射される水の衝撃力を低減し、シャワーをさらに優しくすることもできる。
【００６２】
ここで、図面に示され且つ本明細書に記載されるバブル水発生装置は、本発明の原理を応用する一例に過ぎないことに留意されたい。当業者は、本発明の原理が、図面に示されるか、又は本明細書に記載される装置の任意の細部又は部材のみに限定されないことを明確に理解すべきである。
【００６３】
本発明は、その応用を、本明細書に提出された部材の詳細な構造及び配置方式に限定しないことを理解されたい。本発明は、他の実施形態を有することができ、且つ、様々な方式で実現及び実行することができる。上記の変形形態及び修正形態は、本発明の範囲に含まれる。なお、本明細書に開示及び限定される本発明は、本明細書及び／又は図面で言及又は明示された２つ以上の別個の特徴の代替可能な組み合わせのすべてに及ぶ。これらの異なる組み合わせのすべては、本発明の複数の代替可能な態様を構成する。本明細書に記載される実施形態は、本発明を実現するための知られている最も好ましい形態を説明し、且つ当業者が本発明を利用することを可能にする。
【符号の説明】
【００６４】
１０  入水アセンブリ
１０１  入水流路
１１０  第１環部
１１１  第１雄ネジ
１２０  第２環部
１２１  雌ネジ
２０  シールリング
３０  分流器
３１０  第１ディスク部
３１１  第１表面
３１２  第２表面
３１３  第１入水孔
３１４  吸気流路
３１５  貫通孔
３２０  筒部
３２１  第２雄ネジ
３３０  位置決め突起
４０  締付具
５０  ミキサー
５１０  第２ディスク部
５１１  第３表面
５１２  第４表面
５１３  第２入水孔
５１４  還流孔
５２０  環状壁部
５３０  環状切り溝
５４０  接続柱
５５０  位置決め切欠
５６０  収容空間
６０  第１チャンバ
７０  ストレーナアセンブリ
７１０  第１ストレーナ
７２０  第２ストレーナ
８０  第２チャンバ
９０  吐水面カバー
１００  フィルタ部材
Ｌ  中心軸線
【図１】
0006922047.tif 000002
【図２】
0006922047.tif 000003
【図３】
0006922047.tif 000004
【図４】
0006922047.tif 000005
【図５】
0006922047.tif 000006
【図６】
0006922047.tif 000007
【図７】
0006922047.tif 000008
【図８】
0006922047.tif 000009
【図９】
0006922047.tif 000010